(57)【要約】      （修正有）【課題】装置の設置、維持および管理の際に、ボルトおよびナットの使用および調整を必要とせず、それでいてまくらぎへの強力な固定が可能となる構成を備えたボルトレス型座屈防止装置を提供する。【解決手段】ボルトレス型座屈防止装置１は、まくらぎＳの側方に左右１対に配置される左抵抗板２および右抵抗板３と、左抵抗板２および右抵抗板３の上部で連係する板バネ４と、左抵抗板２および右抵抗板３の下部で連係する下部板５と、まくらぎＳおよび板バネ４との間に挿入されるテーパーブロック６を備える。【選択図】図２
0003222785.tif 000002
【実用新案登録請求の範囲】
【請求項１】
まくらぎの長手方向側方に左右１対に配置される左抵抗板および右抵抗板と、
前記左抵抗板および前記右抵抗板の上部で両抵抗板を連係する板バネと、
前記左抵抗板および前記右抵抗板の下部で両抵抗板を連係する下部板と、
前記まくらぎおよび前記板バネとの間に挿入されるテーパーブロックを備え、
前記下部板の中間部は受け面を備え、前記まくらぎの規格に即して前記まくらぎを載せる面を定めることが可能であり、
前記テーパーブロックが前記板バネと嵌合した状態で係止することによって、前記板バネの弾性力をもって全体が前記まくらぎに固定されることを特徴とするボルトレス型座屈防止装置。
【考案の詳細な説明】
【技術分野】
【０００１】
本考案は、まくらぎの上面と下面を挟持する部材を装着してレールの座屈および移動を防止する装置に関するものである。
【背景技術】
【０００２】
鉄道において鉄道車両の運行の安全性を確保するためには、レールの座屈を防止することが重要である。近年、バラスト道床に用いるための各種の座屈防止装置が開発されている。これらの装置のまくらぎへの固定方法は、まくらぎの端部の上部及び下部に押さえ部材を配置し、緊締具にて固定する手段が専ら採用されている（特許文献１および２参照）。これらの装置はまくらぎが有する道床抵抗力に更なる抵抗力を付加し、道床抵抗力を強化することよって、レールの座屈を防止する。
【先行技術文献】
【特許文献】
【０００３】
【特許文献１】特許第４５１２６６１号公報
【特許文献２】特許第５８５２７６２号公報
【考案の概要】
【考案が解決しようとする課題】
【０００４】
まくらぎに道床抵抗力を付加するためには、座屈防止装置や移動防止装置をまくらぎに強力に固定し、締め付けによる緊迫状態を一定に保つ必要がある。押さえ部材を固定する緊締具は、ボルトおよびナットを用いることが一般的である。ボルトおよびナットは、市場の流通性、形状のバリエーションの豊富さから、部品としての調達という面で優れた部材である。しかし、その一方で、振動および衝撃の多い箇所などでは、締め付けによる緊迫状態に若干の変化が生じやすい傾向がある。
【０００５】
そこで、本考案は、装置の設置、維持および管理の際に、ボルトおよびナットの使用および調整を必要とせず、それでいてまくらぎへの強力な固定が可能となる構成を備えたボルトレス型座屈防止装置を提供することを目的とする。
【課題を解決するための手段】
【０００６】
本考案のボルトレス型座屈防止装置は、まくらぎの長手方向側方に左右１対に配置される左抵抗板および右抵抗板と、前記左抵抗板および前記右抵抗板の上部で両抵抗板を連係する板バネと、前記左抵抗板および前記右抵抗板の下部で両抵抗板を連係する下部板と、前記まくらぎおよび前記板バネとの間に挿入されるテーパーブロックを備え、前記下部板の中間部は受け面を備え、前記まくらぎの規格に即して前記まくらぎを載せる面を定めることが可能であり、前記テーパーブロックが前記板バネと嵌合した状態で係止することによって、前記板バネの弾性力をもって全体が前記まくらぎに固定されることを特徴とする。
【考案の効果】
【０００７】
本考案のボルトレス型座屈防止装置は、請求項１の構成によって、板バネの弾性力をもって装置全体がまくらぎに固定される。本装置は、板バネの弾性力を発揮させる手段が、板バネとまくらぎの間にテーパーブロックを挿入することであるため、従来のボルトによる締め付けと比して取付が容易である。また、テーパーブロックを所定の位置まで挿入すれば適切な締め付けによる緊迫度を得られるので、作業者は、テーパーブロックの位置を目視によって確認すればよく、緊迫度を意識する必要がない。さらに、従来のボルトによる締め付けでは、軌道の振動、衝撃により締め付け力が変化するという事象が発生しやすいが、本装置では、板バネが振動、衝撃を吸収するため、締め付けによる緊迫度を一定に保つことができる。
【図面の簡単な説明】
【０００８】
【図１】本考案のボルトレス型座屈防止装置の斜視図である。
【図２】本考案のボルトレス型座屈防止装置の拡大斜視図である。
【図３】本考案のボルトレス型座屈防止装置の分解斜視図である。
【図４】本考案のボルトレス型座屈防止装置の正面図である。
【図５】本考案のボルトレス型座屈防止装置の正面図である。
【考案を実施するための形態】
【０００９】
以下、本考案を実施するための形態を図面とともに説明する。
【実施例１】
【００１０】
図１は、本考案のボルトレス型座屈防止装置１の斜視図であり、まくらぎＳとレールＲとともに表示した例である。また、図２は、本考案のボルトレス型座屈防止装置１の斜視図であり、まくらぎＳは仮想線で表示している。ボルトレス型座屈防止装置１は、まくらぎＳの側方に左右１対に配置される左抵抗板２および右抵抗板３と、左抵抗板２および右抵抗板３の上部で連係する板バネ４と、左抵抗板２および右抵抗板３の下部で連係する下部板５と、まくらぎＳおよび板バネ４との間に挿入されるテーパーブロック６を備える。
【００１１】
図３は本考案のボルトレス型座屈防止装置１の分解斜視図である。左抵抗板２は、ボルトレス型座屈防止装置１の全体がまくらぎＳの長手方向に移動することを防止するために砕石に拘束される平板部２ａと、板バネ４が挿通されて板バネ４の端部が係止するための板バネ挿通口２ｂと、下部板５が挿通されて下部板５の端部が係止するための下部板挿通口２ｃを備える。左抵抗板２と同様に、右抵抗板３は、ボルトレス型座屈防止装置１の全体がまくらぎＳの長手方向に移動することを防止するために砕石に拘束される平板部３ａと、板バネ４が挿通されて板バネ４の端部が係止するための板バネ挿通口３ｂと、下部板５が挿通されて下部板５の端部が係止するための下部板挿通口３ｃを備える。
【００１２】
本実施例の板バネ４は、左抵抗板２の板バネ挿通口２ｂに係止する板バネ端部４ａと、右抵抗板３の板バネ挿通口３ｂに係止する板バネ端部４ｂによって構成されている。本実施例の板バネ４の形状は、板バネ端部４ａを上向きに、板バネ端部４ｂを下向きに形成している。また、本実施例の左抵抗板２の板バネ挿通口２ｂおよび右抵抗板３の板バネ挿通口３ｂは、互いに同形とし、かつ、板バネ４の端部が上向きであっても下向きであっても板バネ４の端部の係止を可能としている。本考案の板バネ４の形状ならびに左抵抗板２の板バネ挿通口２ｂおよび右抵抗板３の板バネ挿通口３ｂをこのように形成することによって、板バネ端部４ｂを支点として板バネ４を挿通することが容易となり、また、板バネ４が挿通しやすい方向から挿通可能としている。ここで、本考案の板バネ４の端部の形状ならびに左抵抗板２の板バネ挿通口２ｂおよび右抵抗板３の板バネ挿通口３ｂの形状は、互いに係止することが可能であればよく、本実施例に示された形状に限定されるものではない。
【００１３】
本実施例の下部板５は、左抵抗板２の下部板挿通口２ｃに係止する下部板端部５ａと、右抵抗板３の下部板挿通口３ｃに係止する下部板端部５ｂとの形状を同形としている。同様に、左抵抗板２の下部板挿通口２ｃおよび右抵抗板３の下部板挿通口３ｃも同形である。ここで、本考案の下部板５の端部の形状ならびに左抵抗板２の板バネ挿通口２ｂおよび右抵抗板３の板バネ挿通口３ｂの形状は、互いに係止することが可能であればよく、本実施例に示された形状に限定されるものではない。
【００１４】
本考案のテーパーブロック６は、基部６ａと、先端部６ｂと、板バネ係止部６ｃ備え、基部６ａから先端部６ｂにかけて厚みが減少するように形成される。また、板バネ係止部６ｃは、板バネ４の幅に合わせて凹状に形成される。テーパーブロック６は、ハンマーなどで基部６ａを叩打して、板バネ４とまくらぎＳとの間に挿入され、板バネ係止部６ｃと板バネ４が嵌合した状態で係止する。板バネ４は、テーパーブロック６が挿入されることによって、まくらぎＳの上面から垂直方向に、弾性力を発揮する。また、図示は省略するが、テーパーブロック６のまくらぎＳとの接触面を鋸歯状に加工することで、テーパーブロック６とまくらぎＳとの間の摩擦力が向上し、テーパーブロック６の不意の脱落を防止する効果が期待できる。また、テーパーブロック６の取り外しは、テーパーブロック６よりも厚みと角度のある部材を板バネ４とまくらぎＳの間に挿入して、板バネ４を持ち上げることによって行われる。
【００１５】
図４および図５は、本考案のボルトレス型座屈防止装置１の正面図であり、まくらぎの形状と、下部板５の上下方向の向きが異なる。以下、図４に示すまくらぎをＳ１、図５に示すまくらぎをＳ２とする。
【００１６】
本考案の下部板５の中間部５ｃは、一方の面をまくらぎの載せ台として、他方の面をまくらぎの受け皿として用いることが可能であるように形成されている。どちらの面にまくらぎを載せるかは、まくらぎの規格に即して決めることができる。図４に示すまくらぎＳ１のように、高さがない規格のまくらぎであれば、中間部５ｃの受け面を下にして、載せ台のように設置すればよく、また、図５に示すまくらぎＳ２のように、高さがある規格のまくらぎであれば、中間部５ｃの受け面を上にして、受け皿のように設置すればよい。また、本考案のボルトレス型座屈防止装置１は、形状を変更した下部板を用意することによって、他の規格のまくらぎにも適用することができる。
【００１７】
本考案の板バネ４の材質は限定されないが、弾性を要する金属板としてステンレス鋼であることが好ましく、耐蝕性および防錆性にも優れたオーステナイト系ステンレス鋼板がより好ましい。また、左抵抗板２、右抵抗板３、下部板５およびテーパーブロック６の材質も限定されないが、まくらぎＳに装着することから、衝撃や振動に対する耐久性を有するダクタイル鋳鉄が好ましい。ダクタイル鋳鉄は、防錆性および耐候性にも優れ、長期の使用に耐えることができる。
【００１８】
本考案のボルトレス型座屈防止装置１は、以上の構成によって、板バネ４の弾性力をもって装置全体がまくらぎＳに固定される。ボルトレス型座屈防止装置１は、板バネ４の弾性力を発揮させる手段が、板バネ４とまくらぎＳの間にテーパーブロック６を挿入することであるため、従来のボルトによる締め付けと比して取付が容易である。また、テーパーブロック６を所定の位置まで挿入すれば適切な締め付けによる緊迫度を得られるので、作業者は、テーパーブロック６の位置を目視によって確認すればよく、緊迫度を意識する必要がない。さらに、従来のボルトによる締め付けでは、軌道の振動、衝撃により締め付け力が変化するという事象が発生しやすいが、本装置では、板バネ４が振動、衝撃を吸収するため、締め付けによる緊迫度を一定に保つことができる。
【符号の説明】
【００１９】
１…ボルトレス型座屈防止装置。
２…左抵抗板。
３…右抵抗板。
４…板バネ。
５…下部板。
６…テーパーブロック。
Ｒ…レール。
Ｓ…まくらぎ。
【図１】
0003222785.tif 000003
【図２】
0003222785.tif 000004
【図３】
0003222785.tif 000005
【図４】
0003222785.tif 000006
【図５】
0003222785.tif 000007